(57)【要約】      （修正有）【課題】荷物の量に応じて収容スペースを拡大・縮小させることができるキャリーケースを提供する。【解決手段】蓋側シェル１ａ及び身側シェル１ｂを有するキャリーケース１であって、蓋側シェル１ａを開閉するのに使用される開閉機構と、身側シェル１ｂとの間に、拡張可能に構成された複数のジッパ４及び複数のまち５からなる拡張部３を有する。拡張部３を構成する複数のまち５の各々のまち幅が互いに等しい場合もあれば、異なる場合もある。【選択図】図４
0003206012.tif 000002
【実用新案登録請求の範囲】
【請求項１】
蓋側シェル及び身側シェルを備えるキャリーケースであって、
上記蓋側シェルを開閉するのに使用される開閉機構と、上記身側シェルとの間に、拡張可能に構成された複数のジッパ及び複数のまちからなる拡張部を有することを特徴とするキャリーケース。
【請求項２】
上記拡張部を構成する複数のまちの各々のまち幅が互いに等しいことを特徴とする請求項１に記載のキャリーケース。
【請求項３】
上記拡張部を構成する複数のまちの各々のまち幅が互いに異なることを特徴とする請求項１に記載のキャリーケース。
【考案の詳細な説明】
【技術分野】
【０００１】
本考案は、キャリーケース（スーツケースを含む）に関し、詳しくは、例えば旅先で増える荷物の量に応じて収容スペースを段階的に拡大させることのできるキャリーケースに関する。
【背景技術】
【０００２】
キャリーケースは、概して、航空機内に持ち込むことができる寸法につくられていることが多いが、実際には、バス旅行や船旅などにも広く利用されている。
【０００３】
特許文献１に示されるように、キャリーケースの２つのシェルの間に設けられた拡張部を拡大させることができるものは従来のキャリーケースにも存在する。しかし、例えば、旅の最初の目的地で増えた荷物の量に応じてキャリーケースの収容スペースを少しだけ拡大させることができ、旅の次の目的地で増えた荷物の量に応じてキャリーケースの収容スペースを更に少しだけ拡大させることができるものは従来品にはなかった。或いは、旅先などで徐々に荷物の量が減る場合に、段階的に収容スペースを縮小させることができるキャリーケースはなかった。
【先行技術文献】
【特許文献】
【０００４】
【特許文献１】特開２０１３−０００２３６号公報
【考案の概要】
【考案が解決しようとする課題】
【０００５】
使用者の旅の行程等に伴って徐々に増えたり減ったりする荷物の量に応じて、キャリーケースの収容スペースを段階的に拡大・縮小させることができるとよい。
【課題を解決するための手段】
【０００６】
蓋側シェル及び身側シェルを備えるキャリーケースであって、蓋側シェルを開閉するのに使用される開閉機構と、身側シェルとの間に、拡張可能に構成された複数のジッパ及び複数のまちからなる拡張部を有することを特徴とする、キャリーケースを提供する。
【０００７】
一実施例においては、拡張部を構成する複数のまちの各々のまち幅が互いに等しいことを特徴とする。
【０００８】
他の実施例においては、拡張部を構成する複数のまちの各々のまち幅が互いに異なることを特徴とする。
【図面の簡単な説明】
【０００９】
【図１】本考案の一実施例におけるキャリーケースを示す一側面図。
【図２】図１に示した一実施例におけるキャリーケースを示す他の側面図。
【図３】拡張部の１つのまちが拡張された状態を示す図。
【図４】拡張部の２つのまちが拡張された状態を示す図。
【図５】拡張部を構成するまちの一実施例を示す図。
【図６】一実施例におけるキャリーケースの斜視図。
【考案を実施するための形態】
【００１０】
本考案のキャリーケースについて、添付の図を参照しつつ詳細に説明する。
【００１１】
図１及び図２に示されるように、本考案のキャリーケース１は、蓋側シェル１ａと身側シェル１ｂを備え、更には、キャリーケース１の蓋側シェル１ａを開閉するための開閉機構２と、身側シェル１ｂとの間に、拡張部３を備えている。開閉機構２は、例えば、スライド式ファスナ２ａからなる。図１及び図２は、ジッパ４が閉じられている状態を示している。
【００１２】
図２に示される実施例において、拡張部３を構成するジッパ４のスライダ４ａがスライド（摺動）操作されると、ジッパのエレメントが解除されることにより、まち幅の分だけ拡張部３が拡張し得る。
【００１３】
図３は、並設された２つのまち５のうち１つが拡張された状態を示している。ジッパ４のスライダ４ａがスライド操作され、エレメント４ｂ，４ｃの噛み合わせが解除されると、１つのまち５が、まち幅に相当する長さだけ拡張されることにより、拡張部３が拡張し得る。図３（ａ）は、キャリーケース１の一側面を示している。図３（ｂ）は、キャリーケース１の他の側面を示している。
【００１４】
図４は、並設された２つのまち５の両方が拡張された状態を示している。各々のまち５に対応するジッパ４のスライダ４ａがスライド操作され、ジッパ４のエレメント４ｂ，４ｃの噛み合わせが解除されると、２つのまち５が、まち幅に相当する長さだけ拡張されることにより、拡張部３が拡張し得る。図４（ａ）は、キャリーケース１の一側面を示している。図４（ｂ）は、キャリーケース１の他の側面を示している。
【００１５】
拡張部３を構成する複数のまち５の各まちのまち幅は、互いに等しい場合（図４を参照）もあれば、互いに異なる場合（図示せず）もある。
【００１６】
図５に示されるように、一実施例においては、キャリーケース１の拡張部３を構成するまち５は、蛇腹状の形状に形成される場合もある。
【００１７】
一実施例においては、拡張部３は、擦れや衝突に強い耐摩耗性の高い素材から形成され得る。他の実施例においては、拡張部３は、アラミド繊維が混合された素材から形成され得る。
【００１８】
図６は、蓋側シェル１ａと身側シェル１ｂを備えるキャリーケース１を示す。キャリーケース１を開閉するための開閉機構２と、身側シェル１ｂとの間に、拡張部３を構成する複数のジッパ４が並設されている。一実施例においては、キャリーケース１を牽引する際に使用されるキャリーハンドル７、ハンドル８，９、及び開閉機構２をロックするためのジッパロック１１が、該キャリーケース１に設けられている。
【００１９】
本考案のキャリーケース１においては、拡張部３を構成する複数のまち５のうちのいくつかを使用者が拡張させることにより、該キャリーケース１の収容スペースを拡大させることができる。すなわち、本考案のキャリーケース１は、旅先で予想外に荷物が増えた場合などにおいても、増えた荷物の量に応じて段階的にキャリーケース１の収容スペースを拡大させることができるという利点がある。
【符号の説明】
【００２０】
１…キャリーケース
１ａ…蓋側シェル
１ｂ…身側シェル
２…開閉機構
２ａ…スライド式ファスナ
３…拡張部
４…ジッパ
４ａ…（ジッパ４の）スライダ
４ｂ…（ジッパ４の）エレメント
４ｃ…（ジッパ４の）エレメント
５…まち
６…キャスタ
７…キャリーハンドル
８…ハンドル
９…ハンドル
１０…底足
１１…ジッパロック
【図１】
0003206012.tif 000003
【図２】
0003206012.tif 000004
【図３】
0003206012.tif 000005
【図４】
0003206012.tif 000006
【図５】
0003206012.tif 000007
【図６】
0003206012.tif 000008